(57)【要約】【課題】トイレ室と、トイレ室からの汚水を貯留する汚水槽と、汚水槽からの汚水を処理する処理槽と、処理槽で処理された処理水を浄化する浄化槽とを収容ボックス内に設け、処理槽内に曝気処理室を形成した循環式トイレにおいて、構成が簡略化され、効率的な曝気処理を行うことが可能な循環式トイレを提供することを課題とする。【解決手段】本発明は、収容ボックスを、水平な軸心Ｓを有する円筒状のタンク１によって構成し、タンク１底面から少なくともタンク１軸心Ｓ高さに至る円弧状のタンク１内周面によって、前記曝気処理室９ａ，１１ａ，１２ａの内壁面の少なくとも一部を形成することにより、曝気処理室９ａ，１１ａ，１２ａの最大水位をタンク１軸心Ｓ高さ以上に設定し、上記円弧状の内壁面に沿って汚水を対流させる。【選択図】図６
2014040702.tif 000002
【特許請求の範囲】
【請求項１】
トイレ室（６）と、トイレ室（６）からの汚水を貯留する汚水槽（２１）と、汚水槽（２１）からの汚水を処理する処理槽（９，１１，１２）と、処理槽（９，１１，１２）で処理された処理水を浄化する浄化槽（４４）とを、単一の収容ボックス内に各別に設け、処理槽（９，１１，１２）内に曝気処理を行う曝気処理室（９ａ，１１ａ，１２ａ）を形成し、浄化された浄化水がトイレ室（６）内に還元される循環式トイレにおいて、収容ボックスを、水平な軸心（Ｓ）を有する円筒状のタンク（１）によって構成し、タンク（１）底面から少なくともタンク（１）軸心（Ｓ）高さに至る円弧状のタンク（１）内周面によって、前記曝気処理室（９ａ，１１ａ，１２ａ）の内壁面の少なくとも一部を形成することにより、曝気処理室（９ａ，１１ａ，１２ａ）の最大水位をタンク（１）軸心（Ｓ）高さ以上に設定し、曝気処理室（９ａ，１１ａ，１２ａ）内において上記円弧状の内壁面に沿って汚水を対流させることにより上記曝気処理を行う循環式トイレ。
【請求項２】
タンク（１）内周の全周によって円形断面の処理槽（９，１１，１２）を形成した請求項１に記載の循環式トイレ。
【請求項３】
処理槽（９，１１，１２）の円形断面を複数に分割する仕切壁（１４Ａ，１４Ｂ）を形成し、該分割されたスペースの少なくとも１つを曝気処理室（９ａ，１１ａ，１２ａ）とした請求項２に記載の循環式トイレ。
【請求項４】
前記仕切壁（１４Ｂ）の断面を上下方向に形成し、該仕切壁（１４Ｂ）によって分割される一方を曝気処理室（１１ａ，１２ａ）とするとともに、他方側を嫌気性処理を行う嫌気性処理室（１１ｂ，１２ｂ）とし、曝気処理室（１１ａ，１２ａ）と嫌気性処理室（１１ｂ，１２ｂ）とを連通させる連通口（１６）をタンク（１）の底側に開口形成した請求項３に記載の循環式トイレ。
【請求項５】
曝気処理室（１１ａ，１２ａ）内の上記対流をガイドするガイド部（３３）を前記仕切壁（１４Ｂ）に一体形成した請求項４に記載の循環式トイレ。
【請求項６】
ガイド部（３３）を、仕切壁（１４Ｂ）の連通口（１６）側端部に一体形成した請求項５に記載の循環式トイレ。
【請求項７】
仕切壁（１４Ａ，１４Ｂ）をタンク（１）と共に一体形成した請求項３乃至６の何れかに記載の循環式トイレ。
【請求項８】
処理槽（９，１１，１２）を、互いに隣接させてタンク（１）の軸方向に複数配置し、隣接する処理槽（９，１１，１２）同士を仕切る隔壁（４）を設けた請求項１乃至７の何れかに記載の循環式トイレ。
【請求項９】
隔壁（４）をタンク（１）と共に一体形成した請求項８に記載の循環式トイレ。
【請求項１０】
浄水を貯水する貯水槽（８）をタンク（１）内に形成し、該貯水槽（８）内に浄化槽（４４）を配置した請求項１乃至９の何れかに記載の循環式トイレ。
【発明の詳細な説明】
【技術分野】
【０００１】
この発明は、水を再利用する循環式トイレに関する。
【背景技術】
【０００２】
便器が設置されたトイレ室と、トイレ室からの汚水を貯留する汚水槽と、汚水槽からの汚水を処理する処理槽と、処理槽で処理された処理水を浄化する浄化槽とを、単一の収容ボックス内に各別に設け、処理槽内に曝気処理を行う曝気処理室を形成し、浄化された浄化水がトイレ室内に還元される特許文献１に示す循環式トイレが公知になっている。
【先行技術文献】
【特許文献】
【０００３】
【特許文献１】実用新案登録第３１７３９７２号公報
【発明の概要】
【発明が解決しようとする課題】
【０００４】
上記文献の循環式トイレは、水を再利用できるので、節水できるとともに仮設トイレとしても利用可能である一方で、曝気処理室の形状によっては汚水がスムーズに対流せずに効率的な曝気処理を行うことができない場合がある他、収容ボックス内に別途、処理槽を設置しているため、装置の構成が複雑化する。
【０００５】
本発明は、トイレ室と、トイレ室からの汚水を貯留する汚水槽と、汚水槽からの汚水を処理する処理槽と、処理槽で処理された処理水を浄化する浄化槽とを収容ボックス内に設け、処理槽内に曝気処理室を形成した循環式トイレにおいて、構成が簡略化され、効率的な曝気処理を行うことが可能な循環式トイレを提供することを課題とする。
【課題を解決するための手段】
【０００６】
上記課題を解決するため、第１に、トイレ室６と、トイレ室６からの汚水を貯留する汚水槽２１と、汚水槽２１からの汚水を処理する処理槽９，１１，１２と、処理槽９，１１，１２で処理された処理水を浄化する浄化槽４４とを、単一の収容ボックス内に各別に設け、処理槽９，１１，１２内に曝気処理を行う曝気処理室９ａ，１１ａ，１２ａを形成し、浄化された浄化水がトイレ室６内に還元される循環式トイレにおいて、収容ボックスを、水平な軸心Ｓを有する円筒状のタンク１によって構成し、タンク１底面から少なくともタンク１軸心Ｓ高さに至る円弧状のタンク１内周面によって、前記曝気処理室９ａ，１１ａ，１２ａの内壁面の少なくとも一部を形成することにより、曝気処理室９ａ，１１ａ，１２ａの最大水位をタンク１軸心Ｓ高さ以上に設定し、曝気処理室９ａ，１１ａ，１２ａ内において上記円弧状の内壁面に沿って汚水を対流させることにより上記曝気処理を行うことを特徴とする。
【０００７】
第２に、タンク１内周の全周によって円形断面の処理槽９，１１，１２を形成したことを特徴とする。
【０００８】
第３に、処理槽９，１１，１２の円形断面を複数に分割する仕切壁１４Ａ，１４Ｂを形成し、該分割されたスペースの少なくとも１つを曝気処理室９ａ，１１ａ，１２ａとしたことを特徴とする。
【０００９】
第４に、前記仕切壁１４Ｂの断面を上下方向に形成し、該仕切壁１４Ｂによって分割される一方を曝気処理室１１ａ，１２ａとするとともに、他方側を嫌気性処理を行う嫌気性処理室１１ｂ，１２ｂとし、曝気処理室１１ａ，１２ａと嫌気性処理室１１ｂ，１２ｂとを連通させる連通口１６をタンク１の底側に開口形成したことを特徴とする。
【００１０】
第５に、曝気処理室１１ａ，１２ａ内の上記対流をガイドするガイド部３３を前記仕切壁１４Ｂに一体形成したことを特徴とする。
【００１１】
第６に、ガイド部３３を、仕切壁１４Ｂの連通口１６側端部に一体形成したことを特徴とする。
【００１２】
第７に、仕切壁１４Ａ，１４Ｂをタンク１と共に一体形成したことを特徴とする。
【００１３】
第８に、処理槽９，１１，１２を、互いに隣接させてタンク１の軸方向に複数配置し、隣接する処理槽９，１１，１２同士を仕切る隔壁４を設けたことを特徴とする。
【００１４】
第９に、隔壁４をタンク１と共に一体形成したことを特徴とする。
【００１５】
第１０に、浄水を貯水する貯水槽８をタンク１内に形成し、該貯水槽８内に浄化槽４４を配置したことを特徴とする。
【発明の効果】
【００１６】
上記構成によれば、水平な軸心を有する円筒状のタンクの内周面によって、曝気処理室の内壁面の少なくとも一部を形成することにより、曝気処理室の最大水位がタンク軸心高さ以上に設定され、曝気処理室内において上記円弧状の内壁面に沿って汚水を対流させるため、汚水がよりスムーズに対流して効率的な曝気処理を行うことが可能であるとともに、タンク内周面によって前記曝気処理室の内壁面の少なくとも一部が形成されるため、部品点数を減少して構成が簡略化される。
【００１７】
また、タンク内周の全周によって円形断面の処理槽を形成したものによれば、タンク内周の全周を処理槽内で利用可能になるため、処理槽の曝気処理室での曝気処理をより効率的に行うことが可能であるとともに、タンク内周の全周によって処理槽の内壁面の大部分が形成されるため、構成がより簡略化される。
【００１８】
また、処理槽の円形断面を複数に分割する仕切壁を形成し、該分割されたスペースの少なくとも１つを曝気処理室としたものによれば、処理槽内に曝気処理室の他にも別の処理スペースを確保できるため、処理効率がさらに向上する。
【００１９】
さらに、前記仕切壁の断面を上下方向に形成し、該仕切壁によって分割される一方を曝気処理室とするとともに、他方側を嫌気性処理を行う嫌気性処理室とし、曝気処理室と嫌気性処理室とを連通させる連通口をタンクの底側に開口形成したものによれば、曝気処理と、嫌気性処理とによって、より効率的に汚水を浄化処理できる。
【００２０】
なお、曝気処理室内の上記対流をガイドするガイド部を前記仕切壁に一体形成したものによれば、よりスムーズに汚水が曝気処理室内で対流するようになり、処理効率がさらに向上する。
【００２１】
ちなみに、ガイド部を、仕切壁の連通口側端部に一体形成したものによれば、曝気処理室内で対流している汚水が、その勢いでダイレクトに嫌気性処理室に流入することが抑制され、さらに効率的な曝気処理及び嫌気性処理を行うことが可能になる。
【００２２】
また、仕切壁をタンクと共に一体形成したものによれば、構成がさらに簡略化され、製造コストが低減する。
【００２３】
また、処理槽を、互いに隣接させてタンクの軸方向に複数配置し、隣接する処理槽同士を仕切る隔壁を設けたものによれば、複数の処理槽によって、より確実な曝気処理を行うことができる。
【００２４】
なお、隔壁をタンクと共に一体形成したものによれば、構成がさらに簡略化され、製造コストが低減する。
【００２５】
また、浄水を貯水する貯水槽をタンク内に形成し、該貯水槽内に浄化槽を配置したものによれば、浄化槽を形成するスペースを、貯水槽と別に設ける必要がなく、省スペース化を図ることができる。
【図面の簡単な説明】
【００２６】
【図１】本発明を適用した循環式トイレの正面図である。
【図２】図１の循環式トイレの構成を示す平断面図である。
【図３】図２のＡ−Ａ断面図である。
【図４】図２のＢ−Ｂ断面図である。
【図５】図２のＣ−Ｃ断面図である。
【図６】図２のＤ−Ｄ断面図である。
【図７】図２のＥ−Ｅ断面図である。
【発明を実施するための形態】
【００２７】
図１は、本発明を適用した循環式トイレの正面図であり、図２は、図１の循環式トイレの構成を示す平断面図であり、図３は、図２のＡ−Ａ断面図であり、図４は、図２のＢ−Ｂ断面図であり、図５は、図２のＣ−Ｃ断面図であり、図６は、図２のＤ−Ｄ断面図であり、図７は、図２のＥ−Ｅ断面図である。
【００２８】
循環式トイレは、水平方向の軸心Ｓを有する円筒タンク（収容ボックス，タンク）１を備え、円筒タンク１の全長方向の一端面がフラットな前面壁２なるとともに、他端面が外側に凸曲面状に盛上った後面壁３になる。この円筒タンク１の円形断面の内部スペースは、軸心Ｓに対して垂直又は略垂直な複数の隔壁４によって複数の部屋６，７，８，９，１１，１２に区切られている。
【００２９】
言換えると、円筒タンク１の断面視円形リング状の周壁全周によって形成された円形断面の部屋６，７，８，９，１１，１２が、円筒タンク１の軸心Ｓの方向に複数配列され、この隣接する部屋６，７，８，９，１１，１２同士が隔壁４によって隔てられている。
【００３０】
この複数の部屋６，７，８，９，１１は、前面壁２から後面壁３に向かって順番に、トイレ室６、制御盤１３等が設置された機械室７と、浄化された浄水が貯水される貯水槽８と、トイレ室６からの汚水を処理する第１処理槽（処理槽）９と、汚水を処理する第２処理槽（処理槽）１１と、汚水を処理する第３処理槽（処理槽）１２になる。
【００３１】
トイレ室６及び３つの処理槽９，１１，１２の各部屋には、自身の円形断面の空間を複数に分割する仕切壁１４Ａ，１４Ｂが形成されている。仕切壁１４Ａ，１４Ｂは、断面視で上下方向に形成され且つ軸心Ｓを通るように円筒タンク１の全長方向に延びている。
【００３２】
トイレ室６及び第１処理槽９の仕切壁１４Ａは、円筒タンク１内の天井面から底面に至る全範囲に形成されて空間を完全に隔てる非連通用仕切壁になり、第２処理槽及び第３処理槽の仕切壁１４Ｂは、円筒タンク１内の天井面から底面の手前に至る範囲に形成された連通用仕切壁になる。連通用仕切壁１４Ｂの下端と円筒タンク１内の底面との間には、該仕切壁１４Ｂによって分割された隣接スペース同士を連通させる連通口１６が形成される。
【００３３】
なお、上述した円筒タンク１の周壁、前面壁２及び後面壁３は、隔壁４及び仕切壁１４Ａ，１４Ｂと共にＦＲＰ等の硬化性合成樹脂によって一体形成される。
【００３４】
このように構成される２種類の仕切壁１４Ａ，１４Ｂによって、トイレ室６及び３つの処理槽９，１１，１２は、それぞれ軸心Ｓを境に左右に等分に分割される。
【００３５】
仕切壁１４Ａによって２分割されたトイレ室６の一方の空間は第１トイレルーム６ａになり、他方の空間は第２トイレルーム６ｂとなる。この２つのトイレルーム６ａ，６ｂには、それぞれ１つの洋式の便器１７が設置され、前記前面壁２には、トイレルーム６ａ，６ｂ毎に出入口１８が開口形成され、利用者がトイレルーム６ａ，６ｂを出入する際に用いる出入口１８を開閉する開閉扉１９が、出入口１８毎に前面壁２側に設置されている。
【００３６】
また、仕切壁１４Ａによって２分割された第１処理槽９の一方の空間は導入室（曝気処理室）９ａになるとともに、他方の空間は貯留室９ｂになる。第２処理槽１１における仕切壁１４Ｂによって、２分割された一方の空間は、該導入室９ａと前後で隣接する第１好気性処理室（曝気処理室，好気性処理室）１１ａになるとともに、他方の空間は第１嫌気性処理室（嫌気性処理室）１１ｂになる。仕切壁１４Ｂによって２分割された第３処理槽１２の一方の空間は、第１嫌気性処理室１１ｂと隣接する第２好気性処理室（曝気処理室，好気性処理室）１２ａになるとともに、他方の空間は第２嫌気性処理室（嫌気性処理室）１２ｂになる。
【００３７】
本循環式トイレは、以上のように形成される機械室７、貯水槽８及び３つの処理槽９，１１，１２によって、トレイ室６からの汚水を処理して浄化し、再度、トイレ室６の便器１７の洗浄タンク１７ａに戻して利用する循環処理を行うものであり、以下、この循環処理の構成を詳述する。
【００３８】
上記機械室７の床下には円筒タンク１の周壁等によって汚水槽２１が形成され、この他、機械室７には、前記制御盤１３と、トイレ室６の便器１７と汚水槽２１とを接続する汚水管２２と、汚水槽２１と導入室９ａとを接続する導入管２３と、貯水槽８と便器１７（具体的には洗浄タンク１７ａ）とを接続する洗浄管２４と、外部の図示しない水道管と便器１７の洗浄タンク１７ａとを接続する配水管２６とが設けられている。
【００３９】
汚水槽２１には、汚水管２２によって、便器１７からの排泄物を含んだ汚水が流入して貯留される。この汚水槽２１内には導入ポンプ２７が設けられ、この導入ポンプ２７は、汚水槽２１内の汚水を、前記導入管２３を介して導入室９ａに導入する。ちなみに、汚水槽２１の導入ポンプ２７側と、それ以外の部分とを仕切る仕切２８を、該汚水槽２１内に形成しており、この仕切２８によって、汚水槽２１内の汚水は、固形物がある程度分離された状態で、導入ポンプ２７側に到達し、導入室９ａに導入される。
【００４０】
上記導入室９ａは、貯水槽８と第１処理槽９とを隔てる壁部４と、第１処理槽９と第２処理槽１１を隔てる壁部４と、円筒タンク１の底面から天井面に至る断面視半径状の内周面（円弧面）と、仕切壁１４Ａとによって形成され、これらの部材によって導入室９ａの内壁面が形成されるとともに、導入室９ａの最大水位が円筒タンク１内の天井側に設定される。ちなみに、導入室９ａの最大水位を、軸心Ｓの高さ以上に設定するため、円筒タンク１の底面から少なくとも軸心Ｓの高さに至る円弧状の円筒タンク１内周面によって、導入室９ａの内壁面の少なくとも一部を形成する必要がある。
【００４１】
この導入室９ａ内の底側にはブロア２９が設置され、このブロア２９には機械室７側からのエア配管３１に接続され、該ブロア２９は、上方に向かって高圧（具体的には、７５０［Ｌ／ｍｉｎ］）のエアを噴射するように構成されている。この上方に噴射されるエアによって、導入室９ａ内の汚水を、空気と混合しながら対流させる曝気処理を行う。この曝気処理は、酸素のある状態で育成されて増殖する微生物である好気性微生物によって、汚水を酸化させて浄化する好気性処理の一種である。しかも、ブロア２９から噴射されるエアが高圧であるため、好気性処理がより促進されるとともに、汚水に含まれる固形物が細かく粉砕される。
【００４２】
このようにして、曝気処理された導入室９ａ内の汚水は、導入室９ａと第１好気性処理室１１ａとを隔てる隔壁４の上部に穿設された導入孔４ａによって、第１好気性処理室１１ａに導入される。すなわち、導入孔４ａの下端の高さが、導入室９ａの最大水位に設定される。
【００４３】
上記第１好気性処理室１１ａは、第１処理槽９と第２処理槽１１とを隔てる壁部４と、第２処理槽１１と第３処理槽１２を隔てる壁部４と、円筒タンク１の底面から天井面に至る断面視半径状の内周面（円弧面）と、仕切壁１４Ｂとによって形成され、これらの部材によって第１好気性処理室１１ａの内壁面が形成されるとともに、第１好気性処理室１１ａの最大水位が軸心Ｓの高さ以上に設定される。ちなみに、第１好気性処理室１１ａの最大水位を軸心Ｓの高さ以上に設定するため、円筒タンク１の底面から少なくとも軸心Ｓの高さに至る円弧状の円筒タンク１内周面によって、第１好気性処理室１１ａの内壁面の少なくとも一部を形成する必要がある。
【００４４】
この第１好気性処理室１１ａの底側にはブロア３２が設置され、このブロア３２には機械室７側からの図示しないエア配管が接続され、該ブロア３２は、上方に向かって通常圧（導入室９ａのブロア２９よりも低圧で、具体的には、８０［Ｌ／ｍｉｎ］）のエアを噴射するように構成されている。この上方に噴射されるエアによって、第１好気性処理室１１ａ内の汚水を、空気と混合しながら対流させる曝気処理を行う。ちなみに、この曝気処理は、導入室９ａよりも低圧のエアで行われるため、処理効率は、導入室９ａよりは低く設定される。
【００４５】
また、この第１好気性処理室１１ａと第１嫌気性処理室１１ｂとを仕切る連通用仕切壁１４Ｂの下端部（連通口１６側端部）には、下方に向かって第１好気性処理室１１ａ側に湾曲形成されたガイド部３３が一体形成され、このガイド部３３によって、対流している汚水が第１嫌気性処理室１１ｂに流入することを抑制するとともに、第１好気性処理質１１ａ内で、汚水をよりスムーズに対流させ、好気性処理を促進する。このようにして、曝気処理された第１好気性処理室１１ａ内の汚水は、上記連通口１６によって、第１嫌気性処理室１１ｂ内に流入する。
【００４６】
上記第１嫌気性処理室１１ｂは、第１処理槽９と第２処理槽１１とを隔てる壁部４と、第２処理槽１１と第３処理槽１２を隔てる壁部４と、円筒タンク１の底面から天井面に至る断面視半径状の内周面（円弧面）と、仕切壁１４Ｂとによって形成され、これらの部材によって第１嫌気性処理室１１ｂの内壁面が形成されるとともに、第１嫌気性処理室１１ｂの最大水位が軸心Ｓの高さ以上に設定される。ちなみに、第１嫌気性処理室１１ｂの最大水位が軸心Ｓの高さ以上に設定するため、円筒タンク１の底面から少なくとも軸心Ｓの高さに至る円弧状の円筒タンク１内周面によって、第１嫌気性処理室１１ｂの内壁面の少なくとも一部を形成する必要がある。
【００４７】
この第１嫌気性処理室１１ｂ内では、汚水を対流させず空気が混合しない状態とする。これによって、汚水中の酸素濃度を低下させ、酸素が無い状態で育成されて増殖する微生物である嫌気性微生物が育成及び増殖し、この嫌気性微生物によって、汚水を還元分解させて浄化する嫌気性処理が行われる。
【００４８】
このようにして、嫌気性処理された第１嫌気性処理室１１ｂ内の汚水は、第１嫌気性処理室１１ｂと第２好気性処理室１２ａとを隔てる隔壁４の上部に穿設された導入孔４ａによって、第２好気性処理室１２ａに導入される。すなわち、この導入孔４ａの下端の高さが、第２処理槽１１（第１好気性処理室１１ａ及び第１嫌気性処理室１１ｂ）の最大水位に設定され、この最大水位は導入室９ａよりも低くなる。
【００４９】
上記第２好気性処理室１２ａは、第２処理槽１１と第３処理槽１２とを隔てる壁部４と、後面壁３と、円筒タンク１の底面から天井面に至る断面視半径状の内周面（円弧面）と、仕切壁１４Ｂとによって形成され、これらの部材によって第２好気性処理室１２ａの内壁面が形成されるとともに、第２好気性処理室１２ａの最大水位が軸心Ｓの高さ以上に設定される。ちなみに、第２好気性処理室１２ａの最大水位を軸心Ｓの高さ以上に設定するため、円筒タンク１の底面から少なくとも軸心Ｓの高さに至る円弧状の円筒タンク１内周面によって、第２好気性処理室１２ａの内壁面の少なくとも一部を形成する必要がある。
【００５０】
この第２好気性処理室１２ａの底側にはブロア３４が設置され、このブロア３４には機械室７側からの図示しないエア配管に接続され、該ブロア３４は、上方に向かって通常圧（導入室９ａのブロア２９よりも低圧で、具体的には、第１好気性処理室１１ａのブロア３２の圧力と同一の８０［Ｌ／ｍｉｎ］）のエアを噴射するように構成されている。この上方に噴射されるエアによって、第２好気性処理室１２ａ内の汚水を、空気と混合しながら対流させる曝気処理を行う。
【００５１】
また、この第２好気性処理室１２ａと第２嫌気性処理室１２ｂとの仕切る連通用仕切壁１４Ｂの下端部（連通口１６側端部）には、下方に向かって第２好気性処理室１２ａ側に湾曲形成されたガイド部３３が一体形成され、このガイド部３３によって、対流している汚水が第２嫌気性処理室１２ｂに流入することを抑制するとともに、汚水をよりスムーズに対流させ、好気性処理を促進する。
【００５２】
このようにして、曝気処理された第２好気性処理室１２ａ内の汚水は、上記ガイド部３３と、円筒タンク１の底面との間に形成された上記連通口１６によって、第２嫌気性処理室１２ｂ内に流入する。
【００５３】
上記第２嫌気性処理室１２ｂは、第２処理槽１１と第３処理槽１２とを隔てる壁部１４と、後面壁３と、円筒タンク１の底面から天井面に至る断面視半径状の内周面（円弧面）と、仕切壁１４Ｂとによって形成され、これらの部材によって第２嫌気性処理室１２ｂの内壁面が形成されるとともに、第２嫌気性処理室１２ｂの最大水位が軸心Ｓの高さ以上に設定される。ちなみに、第２嫌気性処理室１２ｂの最大水位を軸心Ｓの高さ以上に設定するため、円筒タンク１の底面から少なくとも軸心Ｓの高さに至る円弧状の円筒タンク１内周面によって、第２嫌気性処理室１２ｂの内壁面の少なくとも一部を形成する必要がある。
【００５４】
この第２嫌気性処理室１２ｂ内では、汚水を対流させず空気が混合しない状態とする。これによって、上述した嫌気性処理が行われる。第２嫌気性処理室１２ｂの上部から貯留室９ｂの第２処理槽寄り部分に至る範囲には処理水管３６が配管され、該処理水管３６の一端側（図示する例では、貯留室９ｂ側端部）には、嫌気性処理された第２嫌気性処理室１２ｂ内の汚水を処理水として貯留室９ｂに送出す貯留ポンプ３７が設置されている。
【００５５】
上記貯留室９ｂと、第１好気性処理室１１ａとは還元管３８によって接続されるとともに、この貯留室９ｂと、貯水槽８とは浄水管３９によって接続される。貯留室９ｂ内に設置された還元ポンプ４１によって送出される処理水は、還元管３８を介して、汚水として第１好気処理室１１ａに還元される。また、貯留室９ｂ内の上部且つ貯水槽８寄り箇所に設置された浄水ポンプ４２によって送出される処理水は、浄水管３９を介して、貯水槽８に導入される。
【００５６】
貯留室９ｂを、貯水槽８寄り空間と、第２処理槽１１寄りの空間との分割する分割壁４３が設けられ、この分割壁４３の下端と、円筒タンク１内の底面との間は、開口しており、第２嫌気性処理室１２ｂから貯留室９ｂに送られてくる処理水が、上記開口した部分を介して、浄水ポンプ４２側に至り、浄水管３９を介して、貯水槽８内に送られる。一方、貯留室９ｂの処理水の水質が所定以下の場合には、還元ポンプ４１によって、還元管３８から、第１好気性処理室１１ａに戻される。
【００５７】
上記貯水槽８には、上下方向に延びる円筒状の浄化槽４４が、平面視で、上記軸心Ｓに対して交差（直交）する方向に複数（図示する例では２つ）並列配置されている。貯水槽８における浄化槽４４が占める以外のスペースは、浄化槽４４によって浄化された浄化水が貯水される貯水スペース８ａになる。
【００５８】
各浄化槽４４は、上下方向に延びる円筒状の浄化筒４６と、浄化筒４６の直下に配置された下部タンク４７とを備えている。浄化筒４６内の上部には、平面視で浄化筒４６の円形断面に内側から沿う円形リング状の散水パイプ４８が設置され、浄化筒４６内の散水パイプ４８の直下には、木材チップが充填された処理層４９が形成されている。木材チップは、広い表面積を有し、好気性微生物と嫌気性微生物の両方が棲息している。そして、散水パイプ４８から下方に円形状に散水された処理水は、チップ層４９を下方に流動する過程で、好気性処理及び嫌気性処理の両方が行われて浄化され、下部タンク４７に漏下して貯水される。
【００５９】
隣接する浄化槽４４，４４同士は、接続管５１によって接続されている。具体的には、一方の浄化槽４４の下部タンク４７と、他方の浄化槽４４の散水パイプ４８とが接続管５１によって接続され、該一方の浄化槽４４の下部タンク４７側に設置された散水ポンプ５２によって、該下部タンク４７内の処理水が、上記他方の浄化槽４４の散水パイプ４８に送られ、該浄化槽４４の上部で前記散水が行われる。
【００６０】
また、最初にチップ層４９により浄化処理を行う浄化槽４４の散水パイプ４８には、上述した浄水管３９が接続され、前記浄水ポンプ４２によって送出される処理水が、該散水パイプ４８から散水される。
【００６１】
一方、最後にチップ層４９により浄化処理を行う浄化槽４４の下部タンク４７側には、貯水ポンプ５３が設置され、該下部タンク４７と貯水スペース８ａとの間には貯水管５４が配管され、この浄化槽４４の下部タンク４７内の処理水が、浄水として貯水スペース８ａに送られて貯水される。このようにして、貯水スペース８ａに貯水された浄水は、洗浄管２４によって、便器１７の洗浄タンク１７ａに戻され、洗浄水として再利用される。
【００６２】
以上のように構成される循環式トレイでは、便器１７→汚水槽２１→導入室９ａ→第１好気性処理室１１ａ→第１嫌気性処理室１１ｂ→第２好気性処理室１２ａ→第２嫌気性処理室１２ｂ→貯留室９ｂ→浄化槽４４→浄化槽４４→浄水スペース８ａ→便器１７→・・・と続く水の循環によって、洗浄水が再利用される。
【００６３】
導入室９ａから第１好気性処理室１１ａへの汚水の移動と、第１嫌気性処理室１１ｂから第２好気性処理室１２ａへの汚水の移動は、最大水位を順次低く設定した導入孔４ａを介して行い、ポンプ等が不要であるため、構成が簡略化される。
【００６４】
また、第１好気性処理室１１ａから第１嫌気性処理室１１ｂへの汚水の移動と、第２好気性処理室１２ａから第２嫌気性処理室１２ｂへの汚水の移動も、連通口１６を介して行われるため、動力が不要で、構成が簡略化される。
【００６５】
また、導入室９ａ、第１好気性処理室１１ａ及び第２好気性処理室１２ａでは、円筒タンク１の円形断面によって形成された円弧面状の内壁面に沿って、汚水を円滑に対流させるため、好気性処理が円滑に行われる。しかも、導入室９ａは、高圧のブロアによって、汚水を対流させると共に、汚水の含まれた固形物が粉砕される。
【００６６】
さらに、円筒タンク１の円弧状の底面によって、汚水のスムーズな流動が促進されるため、３つの処理槽９，１１，１２の底側にヘドロ等の汚物が溜まることも効率的に防止される。
【００６７】
なお、上記水の循環システムにおいて、浄化の度合が低ければ、貯留室９ｂから第１好気性処理室１１ａに汚水を戻すことが可能であるため、水質の悪い浄水が便器１７の洗浄タンク１７ａに還元されることも防止される。この他、洗浄タンク１７ａは、配水管２６によって、水道管からの市販の水も利用可能であるため、利便性が高い。
【００６８】
また、円筒タンク１の周壁を用いて、各部屋を形成し、空間を有効活用できるため、全体をよりコンパクトに成形可能である。
【００６９】
ちなみに、この循環式トイレでは、上述した制御盤１３によって、ポンプ２７，３７，４２，５２，５３の駆動及びブロア２９，３２，３４等の駆動を自動制御し、各部の水位や水質を最適制御する。
【符号の説明】
【００７０】
１  円筒タンク（タンク）
４  隔壁
６  トイレ室
８  貯水槽
９  第１処理槽（処理槽）
９ａ  導入室（曝気処理室）
１１  第２処理槽（処理槽）
１１ａ  第２好気性処理室（曝気処理室，好気性処理室）
１２  第３処理槽（処理槽）
１２ａ  第３好気性処理室（曝気処理室，好気性処理室）
１４Ａ  非連通用仕切壁（仕切壁）
１４Ｂ  連通用仕切壁（仕切壁）
１６  連通口
２１  汚水槽
３３  ガイド部
４４  浄化槽
Ｓ  軸心
【図１】
2014040702.tif 000003
【図２】
2014040702.tif 000004
【図３】
2014040702.tif 000005
【図４】
2014040702.tif 000006
【図５】
2014040702.tif 000007
【図６】
2014040702.tif 000008
【図７】
2014040702.tif 000009